【事件の表示】
　特許第２８８４２２９号「廃棄物の埋立て処理方法」の請求項１ないし２に係る特許に対する特許異議の申立てについて、次のとおり決定する。
【結　論】
　訂正を認める。
　特許第２８８４２２９号の請求項１に係る特許を維持する。
【理　由】
１手続の経緯
  本件特許第２８８４２２９号の請求項１、２に係る発明についての出願は、平成２年１１月２９日に出願した特願平２−３３６６８５号の一部を分割して平成８年４月２２日に新たな特許出願としたものであって、平成１１年２月１２日にその発明について特許の設定登録がなされたものである。
　これに対して、株式会社熊谷組より特許異議の申立てがなされ、取消理由通知がなされ、その指定期間内に平成１２年４月１０日付けで訂正請求書が提出され、その後特許異議申立人に対し上記訂正請求書に関し審尋がなされたがその指定期間内に何ら応答がなされなかったものである。
２訂正の適否
２−１訂正の内容
  本件訂正請求書における訂正の内容は、本件特許明細書を訂正請求書に添付した訂正明細書のとおりに訂正しようとするものである。すなわち、
（１）訂正事項ア
　明細書中の特許請求の範囲の請求項１の「・・・を造成して一つの単位埋立てピットを・・・」（本件特許公報第１頁第１欄第５行）を、「・・・を造成して土留め壁に囲まれた一つの単位埋立てピットを・・・」と訂正する。
（２）訂正事項イ
　明細書中の特許請求の範囲の請求項１の「・・・該単位埋立てピットの終点側に・・・」（本件特許公報第１頁第１欄第７行）を、「・・・該単位埋立てピットの土留め壁上に設けたレールを走行して該単位埋立てピットの終点側に・・・」と訂正する。
（３）訂正事項ウ
　明細書中の特許請求の範囲の請求項１の「・・・を造成して一つの単位埋立てピットを形成し、・・・」（本件特許公報第１頁第１欄第１０、１１行）を、「・・・を造成し前記屋根体に覆われた単位埋立てピットの土留め壁に連続する土留め壁で囲まれた一つの単位埋立てピットを形成し、・・・」と訂正する。
（４）訂正事項エ
　明細書中の特許請求の範囲の請求項１の「・・・廃棄物上に覆土を設けて・・・」（本件特許公報第１頁第１欄第１２行）を、「・・・廃棄物上に前記土留め壁とほぼ同じ高さまで覆土を設けて・・・」と訂正する。
（５）訂正事項オ
　明細書中の特許請求の範囲の請求項１の「・・・前記屋根体を移動させて前記隣接する・・・」（本件特許公報第１頁第１欄第１３行）を、「・・・前記屋根体を連続する土留め壁上のレールを走行させて前記隣接する・・・」と訂正する。
（６）訂正事項カ
　明細書中の特許請求の範囲の請求項１の「・・・に位置せしめ、前記・・・」（本件特許公報第１頁第１欄第１４行）を、「・・・に位置せしめ、その後覆土により埋立てた単位埋立てピットの緑化を行い、前記・・・」と訂正する。
（７）訂正事項キ
　明細書中の特許請求の範囲の請求頃１の「・・・の形成及び前記・・・」（本件特許公報第１頁第１欄第１４、１５行）を、「・・・の形成と前記・・・」と訂正する。
（８）訂正事項ク
　明細書中の特許請求の範囲の請求項１の「・・・前記埋立てを単位埋立てピット・・・」（本件特許公報第１頁第１欄第１５行〜第２欄第１行）を、「前記埋立てと該部分の緑化とを単位埋立てピット・・・」と訂正する。
（９）訂正事項ケ
　明細書中の特許請求の範囲の請求項２を削除する。
（１０）訂正事項コ
　明細書中の「・・・を造成して一つの単位埋立てピットを・・・」（本件特許公報第２頁第４欄第５行）を、「・・・を造成して土留め壁に囲まれた一つの単位埋立てピットを・・・」と訂正する。
（１１）訂正事項サ
　明細書中の「・・・該単位埋立てピットの終点側に・・・」（本件特許公報第２頁第４欄第７行）を、「・・・該単位埋立てピットの土留め壁上に設けたレールを走行して該単位埋立てピットの終点側に・・・」と訂正する。
（１２）訂正事項シ
　明細書中の「・．・・を造成して一つの単位埋立てピットを形成し、・・・」（本件特許公報第２頁第４欄第１０、１１行）を、「・・・を造成し前記屋根体に覆われた単位埋立てピットの土留め壁に連続する土留め壁で囲まれた一つの単位埋立てピットを形成し、・・・」と訂正する。
（１３）訂正事項ス
ｍ明細書中の「・・・廃棄物上に覆土を設けて・・・」（本件特許公報第２頁第４欄第１２行）を、「・・・廃棄物上に前記土留め壁とほぼ同じ高さまで覆土を設けて・・・」と訂正する。
（１４）訂正事項セ
　明細書中の「・・・前記屋根体を移動させて前記隣接する・・・」（本件特許公報第２頁第４欄第１３行）を不明瞭な記載の釈明を目的として、「・・・・前記屋根体を連続する土留め壁上のレールを走行させて前記隣接する・・・」と訂正する。
（１５）訂正事項ソ
　明細書中の「・・・に位置せしめ、前記・・・」（本件特許公報第２頁第４欄第１４行）を、「・・・に位置せしめ、その後覆土により埋立てた単位埋立てピットの緑化を行い、前記・・・」と訂正する。
（１６）訂正事項タ
　明細書中の「・・・の形成及び前記・・・」（本件特許公報第２頁第４欄第１４、１５行）を、「・・・の形成と前記・・・」と訂正する。
（１７）訂正事項チ
　明細書中の「・・・前記埋立てを単位埋立てピット・・・」（本件特許公報第２頁第４欄第１５、１６行）を、「前記埋立てと該部分の緑化とを単位埋立てピット・・・」と訂正する。
（１８）訂正事項ツ
　明細書中の段落【００１１】を削除する。
２−２訂正の目的の適否、新規事項の有無及び拡張変更の存否
　上記訂正事項ア、ウは「単位埋立てピット」を限定し、訂正事項イは「屋根体」を限定し、訂正事項エは「覆土」を限定し、訂正事項オは屋根体の移動を限定し、訂正事項カ、クは屋根体移動後の覆土の後処理を限定したものであり、訂正事項ケは請求項の削除であるから、これらの訂正事項は特許請求の範囲の減縮を目的とする訂正に該当する。そして、これらの訂正事項は、訂正事項ア、ウが願書に添付した明細書の段落【００１５】、訂正事項イが願書に添付した明細書の段落【００２２】、訂正事項エが願書に添付した明細書の段落【００３８】、訂正事項オが願書に添付した明細書の段落【００２２】【００４８】、訂正事項クが願書に添付した明細書の段落【００４０】に記載されているから、該訂正は、願書に添付した明細書に記載した事項の範囲内においてなされたものであり、実質上特許請求の範囲を拡張し、又は変更するものでもない。
　また、上記訂正事項キ、タは「及び」を「と」に訂正したものであるから明りょうでない記載の釈明を行うことを目的とする訂正に該当する。又訂正事項コ〜ソ、チ、ツは特許請求の範囲の減縮を目的とする上記訂正事項ア〜カ、ク、ケの訂正に伴うものであり、減縮された請求項１の記載と明細書の記載を整合させるためにするものであるから、明りょうでない記載の釈明を行うことを目的とする訂正に該当する。
２−３独立特許要件
（ア）訂正後の請求項１に係る発明
  本件訂正明細書の請求項１に係る発明は、訂正明細書及び図面の記載からみて、その特許請求の範囲の請求項１に記載された次のとおりのものである（以下、訂正発明１という。）。
「【請求項１】廃棄物を投棄して埋立てる造成前の埋立て予定地を区画して始点側から終点側に並んだ複数の単位埋立てピットの区画を形成し、前記始点側の一つの区画を造成して土留め壁に囲まれた一つの単位埋立てピットを形成し、この単位埋立てピットの上部を覆って該単位埋立てピットを閉塞し該単位埋立てピットの土留め壁上に設けたレールを走行して該単位埋立てピットの終点側に移動する屋根体を形成し、この屋根体の下の単位埋立てピットに廃棄物を投棄すると共に、この単位埋立てピットに隣接する終点側の一つの単位埋立てピットの区画を造成し前記屋根体に覆われた単位埋立てピットの土留め壁に連続する土留め壁で囲まれた一つの単位埋立てピットを形成し、前記屋根体に覆われた単位埋立てピット内に投棄した廃棄物上に前記土留め壁とほぼ同じ高さまで覆土を設けて理立てた後、前記屋根体を連続する土留め壁上のレールを走行させて前記隣接する終点側の単位埋立てピット上に位置せしめ、その後覆土により埋立てた単位埋立てピットの緑化を行い、前記単位埋立てピットの形成と前記廃棄物と覆土による前記埋立てと該部分の緑化とを単位埋立てピットごとに順次繰り返して行うことで単位埋立てピットを連続した廃棄物の埋立て地に形成するように構成したことを特徴とする廃棄物の埋立て処理方法。」
（イ）引用刊行物の記載内容
   当審が先に通知した取消理由通知に引用された刊行物１（特開昭６１−１７８０８６号公報）には、廃棄物埋設処理法に関し次の事項が記載されている。
（ａ）「第１図において、１が処分場の対象適地に二連に構築した所要幅と長さの鉄骨ビニールハウスで、各ハウス１の長手方向両側外部に沿って、該ハウス１の側下部フレーム１ａを内側フレーム２ａとして構成するＵ字型溝フレーム２を一体的に形成する。・・・そして前記ハウス１内の地面に所要深さの廃棄穴４を掘削し、その内側全面に・・・防水シート５を敷設する。そしてその廃棄穴４内に廃棄物Ｅを埋立てていく。・・・さて、廃棄穴４の上縁口付近迄・・・投入したら、・・・さらにその上に表土Ｇを埋戻して埋立てを完了する。そして最後に前記ハウス１を解体または他へ移動して本発明の廃棄物埋設処理法が完結する。」（第２頁右上欄第７行〜左下欄第１４行）
（ｂ）「また廃棄穴の掘削及び埋立て作業は、ハウス１内で行われるから、天候、特に風雨の影響を受けないで済み、快適な作業環境を作れるとともに所謂室内作業であるから、騒音、臭気等から付近住民を護もり、環境衛生上にも利することが出来る。埋立て完了後、ハウス１は不要となるが、大規模の処分適地を確保してある場合は、解体せずにそのまま移動して使用することができる。」（第３頁左上欄第５〜１３行）
　同じく刊行物２（前田慶之助著「産業廃棄物埋立の手引き」日刊工業新聞社、第９１〜９８頁（昭和５１年７月２０日））には、締切堰堤の構造に関し次の事項が記載されている。
（ｃ）「土地利用を考えた埋立工法として望ましいものにポンド埋立方式をあげることができる。ポンド方式は埋立てを平面的な見方で説明すると、外周護岸によって囲まれた埋立予定区域を、さらに中仕切堤によっていくつかの区画（ポンド）に細分しながら理立てていく工法である。」（第９５頁第２〜５行）
（ｄ）「これに対し、ポンド方式では、ポンド単独で順次埋立を完了していくので、使用目的に応じて必要な部分（ポンド）の埋立を優先し、埋立の完成を早めることができる。したがって、地盤の早期安定と早期利用開始にとって有利である。４）外周護岸が完成していない場合でも、中仕切堤に適切な処置をほどこすことによって仮護岸として利用すれば、外周護岸工事と埋立工事を平行して実施することが可能である。」（第９５頁第１４〜２１行）
（ｅ）第９２頁の図４・１０の右上には、鉄筋コンクリート擁壁が記載されている。
（ウ）対比・判断
　刊行物１には、上記（ａ）、（ｂ）の記載から、「処分場の大規模な対象適地の一部に鉄骨ビニールハウスを形成し、ハウス内の地面に所要深さの廃棄穴を掘削し、その廃棄穴内に廃棄物を埋立て、その上に表土を埋戻して埋立てを完了し、その後ハウスを解体せずに他の処分適地へそのまま移動して使用する廃棄物埋設処理法。」が記載されていると云える（以下、刊行物１発明という）。
　訂正発明１と刊行物１発明とを対比すると、刊行物１発明の「鉄骨ビニールハウス」、「廃棄穴」、「表土」は、それぞれ訂正発明１の「屋根体」、「単位埋立てピット」、「覆土」に相当するから、両者は、「埋立て予定地を区画して、一つの単位埋立てピットを形成し、この単位埋立てピットの上部を覆って該単位埋立てピットを閉塞する屋根体を形成し、この屋根体の下の単位埋立てピットに廃棄物を投棄すると共に、屋根体に覆われた単位埋立てピット内に投棄した廃棄物上に覆土を設けて理立てた後、屋根体を他の単位埋立てピット上に位置せしめ、単位埋立てピットの形成と廃棄物と覆土による埋立てを繰り返して行う廃棄物の埋立て処理方法。」で一致するが、
訂正発明１では、「単位埋立てピットの区画を始点側から終点側に並んだ複数の区画として形成し、始点側の一つの区画を造成して土留め壁に囲まれた一つの単位埋立てピットを形成し、土留め壁上に設けたレールを走行して終点側に移動する屋根体を形成し、土留め壁とほぼ同じ高さまで覆土を設けて埋立てた後、屋根体を連続する土留め壁上のレールを走行させて隣接する終点側の単位埋立てピット上に位置せしめ、その後覆土により理立てた単位埋立てピットの緑化を行い、単位埋立てピットの形成と廃棄物と覆土による埋立てと該部分の緑化とを単位埋立てピットごとに順次繰り返して行うことで単位埋立てピットを連続した廃棄物の埋立て地に形成する」のに対して、刊行物１発明では、これらの点について何も触れられていない点で相違している。
  そこで検討する。
　刊行物２には、仕切堤によっていくつかの区画（ポンド）に細分することや、ポンド単独で順次埋立てを完了することや、擁壁を設けることが記載されている。この仕切堤や擁壁が訂正発明１の土留め壁に相当し、ポンドが訂正発明１の単位埋立ピットに相当し、加えて覆土の上を緑化することも廃棄物の埋立てにおいて普通に行われていることと認められるから、刊行物２から、単位埋立てピットの区画を始点側から終点側に並んだ複数の区画として形成し、始点側の一つの区画を造成して土留め壁に囲まれた一つの単位埋立てピットを形成し、土留め壁とほぼ同じ高さまで覆土を設けて埋立てた後、その後覆土により理立てた単位埋立てピットの緑化を行い、単位埋立てピットの形成と廃棄物と覆土による埋立てと該部分の緑化とを単位埋立てピットごとに順次繰り返して行うことで単位埋立てピットを連続した廃棄物の埋立て地に形成することが当業者にとって容易に推考できることと云える。
　しかしながら、刊行物２には、土留め壁上に設けたレールを走行して終点側に移動する屋根体を形成し、埋立てた後、屋根体を連続する土留め壁上のレールを走行させて隣接する終点側の単位埋立てピット上に位置せしめることについては何も記載されていないし、示唆もされていない。
　してみると、刊行物１発明に刊行物２の記載内容を組み合わせても、刊行物１発明において、土留め壁上に設けたレールを走行して終点側に移動する屋根体を形成し、埋立てた後、屋根体を連続する土留め壁上のレールを走行させて隣接する終点側の単位埋立てピット上に位置せしめることは当業者が容易に推考できる程度のこととすることはできない。
　そして、訂正発明１は、土留め壁上に設けたレールを走行して終点側に移動する屋根体を形成し、埋立てた後、屋根体を連続する土留め壁上のレールを走行させて隣接する終点側の単位埋立てピット上に位置せしめることにより、単位埋立てピットの埋立て完了後、走行レールを介して隣の単位埋立てピット上に屋根体を容易に移動できるという明細書記載の効果を奏するものと認められる（訂正明細書段落【００４８】参照）。
　したがって、訂正発明１は、刊行物１、２に記載された発明に基いて当業者が容易に発明をすることができたものであるとすることはできない。
　以上のとおり、訂正後の請求項１に係る発明は、特許出願の際独立して特許を受けることができるものである。
２−４まとめ
　したがって、上記訂正請求は、特許法第１２０条の４第２項及び同条第３項で準用する特許法第１２６条第２項ないし第４項の規定に適合するので、当該訂正を認める。
３特許異議申立てについて
３−１申立ての理由の概要
  特許異議申立人は、証拠方法として甲第１、２号証を提出し、下記の理由で請求項１、２に係る発明の特許は取り消されるべきものである旨の主張をしている。
（１）請求項１、２に係る発明は、甲第１、２号証に記載された発明に基いて容易に発明をすることができたものであるから、請求項１、２に係る発明の特許は、特許法第２９条第２項の規定に違反してされたものであり取り消されるべきものである。
（２）請求項１に係る発明は、特許第２１２８４０６号の請求項１に係る発明と同一なので、特許法第３９条第２項の規定に違反してされたものであり取り消されるべきものである。
（３）請求項２に係る発明は、本件特許明細書の発明の詳細な説明に記載されたものでないから、特許法第３６条第４項の規定に違反してされたものであり取り消されるべきものである。
３−２理由（１）について
（ア）本件発明
　本件発明は訂正請求の結果、請求項１に係る発明だけになり、該請求項１に係る発明は、上記２−３（ア）において摘記したとおりのものである。
（イ）甲号各証の記載内容
  甲第１、２号証は、それぞれ上記刊行物２、１と同じである。
（ウ）対比・判断
 上記２−３（ウ）で述べた理由と同じ理由で、請求項１に係る発明は、甲第１、２号証に記載された発明に基いて容易に発明をすることができたものであるとすることはできない。
３−３理由（２）について
　特許第２１２８４０６号の請求項１に係る発明は、請求項１に記載された次のとおりものである（以下、原発明という。）。
「１　廃棄物を投棄して埋立てる造成前の埋立て予定地を区画して始点側から終点側に並んだ複数の単位埋立てピットの区画を形成し、前記始点側の区画を造成して前後左右がほぼ同高さの土留め壁に囲まれた単位埋立てピットを形成し、この単位埋立てピットの上部を覆って該単位埋立てピットを閉塞し該単位埋立てピットの左右の土留め壁上に設けた適宜な移動手段により該単位埋立てピットの終点側に移動する屋根を形成し、この屋根の下の単位埋立てピットに廃棄物を投棄すると共に、この単位埋立てピットに隣接する終点側の単位埋立てピットの区画を造成し前記屋根に覆われた単位埋立てピットの左右の土留め壁と同高さにして該左右の土留め壁に連続する左右の土留め壁と該左右の土留め壁と同高さの前後の土留め壁とで前後左右が囲まれた単位埋立てピットを形成し、前記屋根に覆われた単位埋立てピット内に投棄した廃棄物上に覆土を設け前記土留め壁とほぼ同高さに埋立てた後、前記屋根を連続する左右の土留め壁上を移動させて前記隣接する終点側の単位埋立てピット上に位置せしめ、前記廃棄物と覆土による前記埋立てを順次繰り返しながら単位埋立てピットを連続した廃棄物の埋立て地に形成するように構成したことを特徴とする廃棄物の埋立て処理方法。」
　請求項１に係る発明と原発明を対比すると、両者は、請求項１に係る発明では、「土留め壁に囲まれた一つの単位埋立てピットを形成し、単位埋立てピットの土留め壁上に設けたレールを走行して単位埋立てピットの終点側に移動する屋根体を形成し、この単位埋立てピットに隣接する終点側の一つの単位埋立てピットの区画を造成し屋根体に覆われた単位埋立てピットの土留め壁に連続する土留め壁で囲まれた一つの単位埋立てピットを形成し、屋根体を連続する土留め壁上のレールを走行させて隣接する終点側の単位埋立てピット上に位置せしめ、その後覆土により埋立てた単位埋立てピットの緑化を行い、単位埋立てピットの形成と廃棄物と覆土による埋立てと該部分の緑化とを単位埋立てピットごとに順次繰り返して行うことで単位埋立てピットを連続した廃棄物の埋立て地に形成するように構成している」のに対して、原発明では「前後左右がほぼ同高さの土留め壁に囲まれた単位埋立てピットを形成し、単位埋立てピットの左右の土留め壁上に設けた適宜な移動手段により単位埋立てピットの終点側に移動する屋根を形成し、この単位埋立てピットに隣接する終点側の単位埋立てピットの区画を造成し前記屋根に覆われた単位埋立てピットの左右の土留め壁と同高さにして左右の土留め壁に連続する左右の土留め壁と該左右の土留め壁と同高さの前後の土留め壁とで前後左右が囲まれた単位埋立てピットを形成し、屋根を連続する左右の土留め壁上を移動させて隣接する終点側の単位埋立てピット上に位置せしめ、廃棄物と覆土による前記埋立てを順次繰り返しながら単位埋立てピットを連続した廃棄物の埋立て地に形成するように構成する」点で相違している。
　つまり、請求項１に係る発明では土留め壁の高さについて規定していないのに対して、原発明では前後左右の土留め壁がほぼ同高さである点、また請求項１に係る発明では屋根体を土留め壁上のレールを走行させているのに対し、原発明では移動手段が特定されていない点、また請求項１に係る発明では緑化を行うのに対して、原発明ではその点に触れられていない点で相違している。
　したがって、請求項１に係る発明と原発明は同一ではなく、特許異議申立人の主張は採用することができない。
３−４理由（３）について
　理由（３）についての特許異議申立人の主張は、具体的には、訂正前の請求項２の「連続的に行う」には、明細書の発明の詳細な説明には何ら開示されていない事項を含んでいるというものであるが、訂正請求により、請求項２は削除され、かつ訂正後の請求項１には「連続的に行う」という記載はないので、特許異議申立人の主張は採用することができない。
４むすび
  以上のとおり、特許異議申立ての理由及び証拠方法によっては、本件請求項１に係る発明の特許を取り消すことはできない。
  また、他に本件請求項１に係る発明の特許を取り消すべき理由を発見しない。
　よって、結論のとおり決定する。
【異議決定日】
平成１２年９月１１日（２０００．９．１１）
【訂正の要旨】
訂正の要旨
　特許第２８８４２２９号発明の明細書を、本件訂正請求書に添付された訂正明細書のとおりに、すなわち、
（１）訂正事項ア
　明細書中の特許請求の範囲の請求項１の「・・・を造成して一つの単位埋立てピットを・・・」（本件特許公報第１頁第１欄第５行）を、「・・・を造成して土留め壁に囲まれた一つの単位埋立てピットを・・・」と訂正する。
（２）訂正事項イ
　明細書中の特許請求の範囲の請求項１の「・・・該単位埋立てピットの終点側に・・・」（本件特許公報第１頁第１欄第７行）を、「・・・該単位埋立てピットの土留め壁上に設けたレールを走行して該単位埋立てピットの終点側に・・・」と訂正する。
（３）訂正事項ウ
　明細書中の特許請求の範囲の請求項１の「・・・を造成して一つの単位埋立てピットを形成し、・・・」（本件特許公報第１頁第１欄第１０、１１行）を、「・・・を造成し前記屋根体に覆われた単位埋立てピットの土留め壁に連続する土留め壁で囲まれた一つの単位埋立てピットを形成し、・・・」と訂正する。
（４）訂正事項エ
　明細書中の特許請求の範囲の請求項１の「・・・廃棄物上に覆土を設けて・・・」（本件特許公報第１頁第１欄第１２行）を、「・・・廃棄物上に前記土留め壁とほぼ同じ高さまで覆土を設けて・・・」と訂正する。
（５）訂正事項オ
　明細書中の特許請求の範囲の請求項１の「・・・前記屋根体を移動させて前記隣接する・・・」（本件特許公報第１頁第１欄第１３行）を、「・・・前記屋根体を連続する土留め壁上のレールを走行させて前記隣接する・・・」と訂正する。
（６）訂正事項カ
　明細書中の特許請求の範囲の請求項１の「・・・に位置せしめ、前記・・・」（本件特許公報第１頁第１欄第１４行）を、「・・・に位置せしめ、その後覆土により埋立てた単位埋立てピットの緑化を行い、前記・・・」と訂正する。
（７）訂正事項キ
　明細書中の特許請求の範囲の請求頃１の「・・・の形成及び前記・・・」（本件特許公報第１頁第１欄第１４、１５行）を、「・・・の形成と前記・・・」と訂正する。
（８）訂正事項ク
　明細書中の特許請求の範囲の請求項１の「・・・前記埋立てを単位埋立てピット・・・」（本件特許公報第１頁第１欄第１５行〜第２欄第１行）を、「前記埋立てと該部分の緑化とを単位埋立てピット・・・」と訂正する。
（９）訂正事項ケ
　明細書中の特許請求の範囲の請求項２を削除する。
（１０）訂正事項コ
　明細書中の「・・・を造成して一つの単位埋立てピットを・・・」（本件特許公報第２頁第４欄第５行）を、「・・・を造成して土留め壁に囲まれた一つの単位埋立てピットを・・・」と訂正する。
（１１）訂正事項サ
　明細書中の「・・・該単位埋立てピットの終点側に・・・」（本件特許公報第２頁第４欄第７行）を、「・・・該単位埋立てピットの土留め壁上に設けたレールを走行して該単位埋立てピットの終点側に・・・」と訂正する。
（１２）訂正事項シ
　明細書中の「・・・を造成して一つの単位埋立てピットを形成し、・・・」（本件特許公報第２頁第４欄第１０、１１行）を、「・・・を造成し前記屋根体に覆われた単位埋立てピットの土留め壁に連続する土留め壁で囲まれた一つの単位埋立てピットを形成し、・・・」と訂正する。
（１３）訂正事項ス
ｍ明細書中の「・・・廃棄物上に覆土を設けて・・・」（本件特許公報第２頁第４欄第１２行）を、「・・・廃棄物上に前記土留め壁とほぼ同じ高さまで覆土を設けて・・・」と訂正する。
（１４）訂正事項セ
　明細書中の「・・・前記屋根体を移動させて前記隣接する・・・」（本件特許公報第２頁第４欄第１３行）を不明瞭な記載の釈明を目的として、「・・・・前記屋根体を連続する土留め壁上のレールを走行させて前記隣接する・・・」と訂正する。
（１５）訂正事項ソ
　明細書中の「・・・に位置せしめ、前記・・・」（本件特許公報第２頁第４欄第１４行）を、「・・・に位置せしめ、その後覆土により埋立てた単位埋立てピットの緑化を行い、前記・・・」と訂正する。
（１６）訂正事項タ
　明細書中の「・・・の形成及び前記・・・」（本件特許公報第２頁第４欄第１４、１５行）を、「・・・の形成と前記・・・」と訂正する。
（１７）訂正事項チ
　明細書中の「・・・前記埋立てを単位埋立てピット・・・」（本件特許公報第２頁第４欄第１５、１６行）を、「前記埋立てと該部分の緑化とを単位埋立てピット・・・」と訂正する。
（１８）訂正事項ツ
　明細書中の段落【００１１】を削除する。
（５４）【発明の名称】
廃棄物の埋立て処理方法
（５７）【特許請求の範囲】
　　【請求項１】　廃棄物を投棄して埋立てる造成前の埋立て予定地を区画して始点側から終点側に並んだ複数の単位埋立てピットの区画を形成し、前記始点側の一つの区画を造成して
土留め壁に囲まれた
土留め壁上に設けたレールを走行して該単位埋立てピットの
前記屋根体に覆われた単位埋立てピットの土留め壁に連続する土留め壁で囲まれた
前記土留め壁とほぼ同じ高さまで
連続する土留め壁上のレールを走行させて
その後覆土により埋立てた単位埋立てピットの緑化を行い、
と
と該部分の緑化と
【発明の詳細な説明】
　　　【０００１】
　　【発明の属する技術分野】
　本発明は一般家庭から排出される分別ゴミ，粗大ゴミなどの不燃物および公共施設等から排出される焼却灰，集塵灰，汚泥などを湖沼，河川，湾岸などの岸辺あるいは陸地等に投棄して埋立て処理する廃棄物の埋立て処理方法に関するものである。
　　　【０００２】
　　【従来の技術】
　一般に廃棄物の処理方法には焼却，埋立て，生物化学的処理等の方法があり、埋立ての場合田畑等平地部に廃棄物を広範囲に廃棄し、整備を行う時点で地均しを行って整地し、整地後の跡地を緑化して公園等の施設を建設していた。
　　　【０００３】
　しかしながらこのような方法では、平地部に廃棄物を廃棄するための広い土地を確保しなければならず、多量の廃棄物を排出する都市部の近郊に適地が不足するため、遠方に廃棄物を搬送しなければならず搬送費が増加するという問題点があった。さらに、埋立て中の廃棄物が外気に接するため、埋立て地付近に悪臭が漂ったり、風あるいは鳥獣等の影響により廃棄物が付近に散乱したりして不衛生となり、また近所の景観を損ねるという問題があった。
　　　【０００４】
　そこで特開平２−９５４８９号公報には、埋立て予定地を単位工区に区切り、単位工区に屋根シートを設けると共に、この屋根シートの前後空間面に防鳥用のアミを懸架し、一工区の埋立完了後、屋根を次の埋立て工区に移設するゴミ処理工事における最終処分方法が提案されている。
　　　【０００５】
　　【発明が解決しようとする課題】
　上記最終処分方法では、防鳥用のアミにより鳥の飛来侵入を防止できるのの、廃棄物の悪臭の漏れを防止することができず、特にそのアミから埋立て中の工区内に雨が侵入し、このゴミに侵入した雨が汚水となるため汚水の処理量が増大し、遮水処理が不十分になるとその汚水が付近の流域に流れ込む虞もあった。
　　　【０００６】
　さらに、一工区の埋立て後、屋根シート等を取り外して次の工区に架設しなければならず、屋根移設に伴う作業性に劣っていた。
　　　【０００７】
　また、上記最終処分方法では、例えば比較的広い窪地を造成した埋立て予定地を確保しなければならないという問題があり、都市部の近郊に、衛生的に大量の廃棄物を埋立てできる用地を確保することは困難なことが予想される。
　　　【０００８】
　そこで、本発明は雨の侵入，悪臭の漏れ，廃棄物の飛散を防止して衛生的に埋立てを行うことができ、用地の確保が比較的容易で、大量の廃棄物を衛生的に処理することができ、経済性にも優れた廃棄物の埋立て処理方法を提供するものである。
　　　【０００９】
　　【課題を解決するための手段】
　添付図面を参照して本発明の要旨を説明する。
　　　【００１０】
　廃棄物を投棄して埋立てる造成前の埋立て予定地を区画して始点側から終点側に並んだ複数の単位埋立てピットの区画を形成し、前記始点側の一つの区画を造成して
土留め壁に囲まれた
土留め壁上に設けたレールを走行して該単位埋立てピットの
前記屋根体に覆われた単位埋立てピットの土留め壁に連続する土留め壁で囲まれた
前記土留め壁とほぼ同じ高さまで
連続する土留め壁上のレールを走行させて
その後覆土により埋立てた単位埋立てピットの緑化を行い、
と
と該部分の緑化と
　　　【００１１】
　　【発明の作用及び効果】
　屋根体により閉塞された単位埋立てピットに、廃棄物を投棄しその廃棄物の上部に覆土を設けて埋立てを行うと共に、隣接する単位埋立てピットの区画の造成を行い、順次屋根体を移動して同様に廃棄物の投棄，単位埋立てピットの区画の造成を行う。
　　　【００１２】
　本発明は上述のように構成したから、用地の確保が比較的容易で、大量の廃棄物を衛生的に処理することができ、経済性にも優れた廃棄物の埋立て処理方法を提供することができる。
　　　【００１３】
　　【発明の実施の形態】
　本発明の具体的な実施例について図面に基づいて説明する。
　　　【００１４】
　図１乃至図１０は本発明の一実施例を示し、掘削による造成前の埋立て予定地１の両側には、予め平行に打設された鋼管矢板２により壁である自立式土留め壁３が形成されるとともに、前記埋立て予定地１は、前記鋼管矢板２，２間に打設された壁である複数の区画用鋼管矢板４により例えば１区画が平面５０ｍ×５０ｍの複数の単位埋立てピット５Ｃ，５Ｃ，５，５Ａ，５Ｂの区画に始点側から終点側に並んで区分されている。即ち図１中左が始点側、右が終点側である。
　　　【００１５】
　また、図示していないが、土留め壁３を用いずにオープン掘削により埋立て予定地を掘削して適宜な壁となる区画板により区画を形成することもできる。
　　　【００１６】
　尚、図１において５Ｃは埋立て後の単位埋立てピット、５は前記区画を掘削などにより造成して四方がほぼ同高さの壁である前記土留め壁２と区画用鋼管矢板４により囲まれた埋立て中の単位埋立てピット、５Ａは掘削により造成中の第２の単位埋立てピット、５Ｂは掘削による造成前の第３の単位埋立てピットを示している。尚、Ｒは湖沼である。Ｅは前記埋立てピット５の底部であり、固結工法によって土の改良を行ったものである。
　　　【００１７】
　廃棄物６が埋立て中の前記単位埋立てピット５は、例えば深さ１０ｍに掘削して造成され、図３に示すようにその底部及び前記両鋼管矢板２，４の表面に遮水シート７を設けて該埋立てピット５内を遮水し、廃棄物６から出る浸出水Ｗの外部への漏出及び外部からの地下水（図示せず）の浸入を防止している。
　　　【００１８】
　８は前記単位埋立てピット５に対応してその上部を覆って閉塞する移動式の屋根体であり、鋼材等からなるアーチ形の骨組構造物９の上に防水性の膜体１０を張設し、また単位埋立てピット５の始点側と終点側の鋼管矢板４との間にも防水性を有する膜体１０が設けられている。
　　　【００１９】
　また、前記屋根体８の下部には前記両鋼管矢板２，４上に設置される脚部１１が設けられている。
　　　【００２０】
　また、前記膜体１０は半透明とし埋立てピット５内に自然光を採光可能とする。
　　　【００２１】
　前記平行に設けられた鋼管矢板２からなる土留め壁３上には図４に示すように走行レール１２が敷設され、この走行レール１２に対応して車輪１３が前記脚部１１に複数設けられ、前記車輪１３は昇降部材１４の下部に回動自在に枢着され、この昇降部材１４の上部に設けた昇降装置たる油圧ジャッキ１５により昇降して前記脚部１１下面から進出自在に設けられている。
　　　【００２２】
　また、脚部１１の下部には硬質ゴム等からなる気密部材１６が設けられている。
　　　【００２３】
　前記屋根体８の側部には出入部としての廃棄物投棄口１７が設けられるとともに、この投棄口１７を覆うように車輌乗入部１８が前記屋根体８と一体に設けられ、前記車輌乗入部１８内にダンプカー等の廃棄物運搬車輌１９が乗り入れ、前記投棄口１７から廃棄物６を単位埋立てピット５内に投入する。
　　　【００２４】
　前記投棄口１７には開閉扉２０が設けられ、この開閉扉２０は上部を前記屋根体８側に枢着し、後面に連結した油圧ジャッキ２１により開閉される。
　　　【００２５】
　前記車輌乗入部１８は底部２２と略アーチ形の屋根部２３とからなり、前記移動式の屋根体８の車輪１３降下時には該屋根体８と一体的に上昇して移動することができる。
　　　【００２６】
　また、図５に示すように前記投棄口１７の上部にはエアー吹き出し口２４が設けられ、図示しないコンプレッサあるいは送風器等により該エアー吹き出し口２４から空気が吹き出される。
　　　【００２７】
　前記単位埋立てピット５には廃棄物６から出る浸出水Ｗを処理するため、該単位埋立てピット５の底部に図６及び図７に示すように集排水管２５が略格子状に配設され、この集排水管２５はその吐出側２６を集水ピット２７に接続し、他の末端を閉塞し集排水管２５に穿設した小孔（図示せず）により単位埋立てピット５内の浸出水Ｗを集水する。
　　　【００２８】
　また、前記集水ピット２７内に溜った浸出水Ｗは水中ポンプ２８により圧送されて導水管２９を通って水処理施設３０に送られ処理される。
　　　【００２９】
　前記単位埋立てピット５には埋立て中の廃棄物６から発生するガス（図示せず）を処理するため該廃棄物６中に図８に示すように複数のガス抜き管３１を立設し、このガス抜き管３１の上端を着脱自在なジョイント３２を介して連絡管３３に接続し、この連絡管３３は前記骨組構造９の桁材３４に添って配管され、前記連絡管３３を通って集められた前記ガスはガス浄化装置３５により浄化された後排出管３５Ａから排気される。
　　　【００３０】
　また、廃棄物６の埋立てが規定量に達したら、図９に示すように前記ジョイント３２を取り外して残った前記ガス抜き管３１の上端に排気管３６を接続し、前記廃棄物６上に覆土３７をして埋立て後前記廃棄物６から発生するガスを外部に排出する。
　　　【００３１】
　前記屋根体８の桁材３４の下部には図１０に示すようにスプリンクラー等からなる複数の散水装置３８が配設され、これらを図示しない送水管に接続し、ポンプ装置（図示せず）等により単位埋立てピット５内に散水が可能となっている。
　　　【００３２】
　また、前記屋根体８にはＣＯ２を照射する消火装置３９が複数設けられている。
　　　【００３３】
　４０は前記埋立てた廃棄物６の敷均し、転圧作業を行うブルドーザー，ランドフィルコンパクタ等の作業車輌であり、リモートコントロールにより無人で操作され、前記屋根体８に設けた制御室４１からリモートコントロールにより運転される。
　　　【００３４】
　次に本発明の廃棄物の埋立て処理方法について説明する。
　　　【００３５】
　平行な鋼管矢板２を打設して土留め壁３を形成するとともに区画用鋼管矢板４からなる壁により区画した造成前の単位埋立てピットの区画を掘削により造成して第１の単位埋立てピット５を構築する。
　　　【００３６】
　そして、この第１の単位埋立てピット５上に前記移動式の屋根体８を設置する。
　　　【００３７】
　そして、この屋根体８及び両鋼管矢板２，４により外部と遮断された第１の単位埋立てピット５内に、廃棄物６を投入して埋立てを行い、この廃棄物６の上に例えば深さ１ｍ程覆土３７を設けて前記壁とほぼ同高さに埋立て前記第１の単位埋立てピット５の埋立てを完了する。
　　　【００３８】
　また、前記覆土３７は終点側である掘削前の前記第３の単位埋立てピット５Ｂから掘削した土の一部を利用する。
　　　【００３９】
　さらに、前記第１の単位埋立てピット５に屋根体８の設置後、終点側に隣接する第２の単位埋立てピット５Ａの区画を掘削して造成を行う。そして前記第１の単位埋立てピット５の埋立て完了後前記屋根体８を第２の単位埋立てピット５Ａ上に移動して廃棄物６を埋立てこの上から覆土３７を埋立て、これらの工程を順々に行って各単位埋立てピット５，５Ａ，５Ｂ内に廃棄物６を埋立て処理していく。さらに第２の単位埋立てピット５Ａの埋立て中には埋立ての完了した第１の単位埋立てピット５の覆土３７上の緑化を行い図１に示した単位埋立てピット５Ｃのように公園Ｐ或いは駐車場Ｑ等の施工を行う。
　　　【００４０】
　このように本実施例においては廃棄物６を投棄して埋立てる造成前の埋立て予定地１を区画して始点側から終点側に並んだ複数の単位埋立てピット５Ｃ，５Ｃ，５，５Ａ，５Ｂの区画を形成し、前記始点側の区画を造成して四方がほぼ同高さの壁である自立式土留め壁３と複数の区画用鋼管矢板４とに囲まれた単位埋立てピット５を形成し、この単位埋立てピット５の上部を覆って単位埋立てピット５を閉塞し該単位埋立てピット５の終点側に移動する屋根体８を形成し、この屋根体８の下の単位埋立てピット５に廃棄物６を投棄すると共に、この単位埋立てピット５に隣接する終点側の単位埋立てピット５Ａの区画を前記同様に造成して単位埋立てピット５Ａを形成し、屋根体８に覆われた単位埋立てピット５内に投棄した廃棄物６上に覆土３７を設け自立式土留め壁３と複数の区画用鋼管矢板４とほぼ同高さに埋立てた後、屋根体８を移動させて隣接する終点側の単位埋立てピット５Ａ上に位置せしめ、廃棄物６と覆土３７による前記埋立てを順次繰り返しながら単位埋立てピットを連続した廃棄物の埋立て地に形成するように構成した方法であり、埋立ての進行と共に順次屋根体８を移動し、四方がほぼ同高さの壁に囲まれ屋根体８により常時外界と遮断された単位埋立てピット５内で廃棄物６の埋立てを行うため、廃棄物６の臭気の外部への漏れと、廃棄物６の飛散が防止され、衛生的に廃棄物の埋立てを行うことができ、さらに、屋根体８により単位埋立てピット５内への雨水の進入が防止されるから浸出水Ｗの処理量が少なく済み、これにより汚水が付近の流域に流れ込むことを防止できる。
　　　【００４１】
　また、四方がほぼ同高さの壁に囲まれた単位埋立てピット５を造成することにより、従来に比べて少ない土地に多量の廃棄物６を衛生的に埋立て処理できる。
　　　【００４２】
　従って、都市近郊等にも土地を確保することができ、廃棄物６の運搬費低減等により経済的にも優れたものとなる。
　　　【００４３】
　また、廃棄物６が直接外界と接触することが無いため衛生的に埋立てを行うことができるとともに単位埋立てピット５内の廃棄物６が外部から見えないため、廻の景観を損なうこともない。
　　　【００４４】
　さらに、埋立て中の単位埋立てピット５内に鳥獣等の進入を防げるから該鳥獣等による廃棄物６の散乱が無く衛生的である。
　　　【００４５】
　また、実施例上の効果として、廃棄物６の上部に設ける覆土３７は、終点側の区画を掘削して造成した土の一部を利用するため、掘削した土を廃棄するための運搬費等を削減することができる。
　　　【００４６】
　さらに、埋立て完了後は順次緑化等を行い跡地利用を行うこともできる。
　　　【００４７】
　また、本実施例においては、単位埋立てピット５Ｃ，５Ｃ，５，５Ａ，５Ｂの区画の隣接方向に沿って単位埋立てピット５Ｃ，５Ｃ，５，５Ａ，５Ｂの区画の両側に敷設された走行レール１２と、屋根体８の下部に設けられ走行レール１２に沿って走行する車輪１３とを備えたものであるから、単位埋立てピット５の埋立て完了後、走行レール１２と車輪１３を介して隣の単位埋立てピット５Ａ上に屋根体８を容易に移動でき、移動後は、その屋根体８によって雨水の侵入，臭気の漏れ及び廃棄物６の飛散を防止しながら単位埋立てピット５Ａ内に廃棄物６を投棄して衛生的に埋立てを行うことができる。
　　　【００４８】
　尚、本発明は前記実施例に限定されるものではなく本発明の要旨の範囲内において種々の変形実施が可能である。例えば、図１１に示すように、平行に設けた鋼管矢板２，２と平行に第３の壁となる鋼管矢板２Ａを打設するとともに前記鋼管矢板２，２Ａ間に壁となる区画用鋼管矢板４Ａを打設して単位埋立てピット５Ｂを上下２列の格子状に設けてもよく、この場合は中央の鋼管矢板２を上下の単位埋立てピットの土留め壁３として共有使用することができ設備効率に優れたものとなる。
　　　【００４９】
　また、単位埋立てピットは２列に限らず３列，４列・・・と格子状に設けることもできる。
　　　【００５０】
　さらに、本実施例では湖沼Ｒの岸辺に埋立て予定地１を設定した場合を示したが、埋立て予定地１は湖沼，河川，海岸等の岸辺に限らず陸地の適宜の場所を選定することも可能である。
　　　【００５１】
　さらに、掘削した埋立て予定地１の底部は固結工法などによって該底部の土の改良を行わなくてもよい。
【図面の簡単な説明】
　　【図１】
　（Ａ）は本実施例の埋立て地の断面図、（Ｂ）は同平面図である。
　　【図２】
　本実施例の埋立て中の埋立てピットを示す断面図である。
　　【図３】
　本実施例の要部の説明図である。
　　【図４】
　本実施例の屋根体の脚部を示す要部の断面図である。
　　【図５】
　本実施例の廃棄物投棄口廻りを示す断面図である。
　　【図６】
　本実施例の集排水管廻りを示す要部の説明図である。
　　【図７】
　本実施例の説明図である。
　　【図８】
　本実施例の埋立て中の埋立てピットを示す説明図である。
　　【図９】
　本実施例の埋立て後の埋立てピットを示す説明図である。
　　【図１０】
　本実施例の埋立て中の埋立てピットを示す説明図である。
　　【図１１】
　別実施例を示す平面図である。
　　【符号の説明】
　１　埋立て予定地
　２，２Ａ　鋼管矢板
　３　土留め壁（壁）
　４，４Ａ　区画用鋼管矢板（壁）
　５，５Ａ，５Ｂ，５Ｃ　単位埋立てピット
　６　廃棄物
　８　屋根体
　１２　走行レール
　１３　車輪
　３７　覆土